(57)【特許請求の範囲】
【請求項１】
防水下地の上に断熱ボードが並設され、当該断熱ボードの上に防水シートが敷設されているとともに、前記防水下地と前記断熱ボードの各々とが接着剤で接着され、
前記断熱ボードの複数枚を一体連結するボード連結手段が備えられ、
前記ボード連結手段が、隣接する前記断熱ボードの端縁側の各々を併せて取付自在なボード用取付部と、前記防水下地に定着させる定着部材を取付自在な定着部材用取付部とを一体的に備えた複数個のボード連結具から構成されている防水構造の施工方法であって、
複数枚の前記断熱ボードを前記ボード連結具の前記ボード用取付部を用いて一体連結するとともに、前記防水下地との間に接着剤を介在させながら前記防水下地の上に前記断熱ボードを並設状態に敷き詰め、
前記接着剤が所期の接着力を発揮する前段階で、複数個の前記ボード連結具のうちで特定の一部の箇所又はその近傍に配置された前記ボード連結具を、前記定着部材用取付部と前記定着部材とを用いて前記防水下地に固定連結し、
その後、前記防水シートを、前記断熱ボードとの間に接着剤を介在させながら断熱ボードの上に敷設する防水構造の施工方法。
【請求項２】
請求項１記載の防水構造の施工方法に用いられるボード連結具であって、
前記ボード用取付部としての外周側開口の凹部を対向面間に形成する上下一対の円盤状の板状部と、当該上下一対の板状部の中央部位どうしを繋ぐ状態で備えられて上方側から前記定着部材を挿入配置可能に構成された前記定着部材用取付部としての筒状部と、から構成されているボード連結具。
【請求項３】
上方側の前記板状部を有する上側部材と、下方側の前記板状部を有する下側部材とに分割され、それら上側部材と下側部材とが上下方向に伸縮自在な接続手段にて接続されることで、前記ボード用取付部としての前記外周側開口の凹部の上下幅が変更自在に構成されている請求項２記載のボード連結具。
【請求項４】
上面部が導電性材料で構成され、その上面部に前記防水シートを接着接合するための熱溶性の接着層が付設されることで、前記防水シートと前記断熱ボードとを固定するシート固定具に兼用構成されている請求項２又は３記載のボード連結具。
【発明の詳細な説明】
【技術分野】
【０００１】
本発明は、建物等の各種の構造物の防水処理に用いられる防水構造に関し、詳しくは、
コンクリートスラブ等の建物側の防水下地の上に断熱ボードが並設され、当該断熱ボード
の上に防水シートが敷設されているとともに、防水下地と断熱ボードの各々とが接着剤で
接着されている防水構造の施工方法、及び、それに用いられるボード連結具に関する。
【背景技術】
【０００２】
この種の防水構造は、建物側の防水下地と断熱ボードの各々とを接着剤で接着するので、ハンマードリル等で防水下地に形成した固定用下穴に取り付ける固定金具によって防水下地と断熱ボードの各々とを機械的に固定する方法を採るものに比べ、建物側への構造的な負担が少なく、更に、施工時の騒音や振動の問題も生じない優れた利点がある。
【０００３】
このような防水構造では、例えば、特許文献１に示すように、防水下地の不陸を変形吸収して接着剤による面的な接着が良好に行える発泡ポリエチレンフォームや発泡ポリプロピレンフォーム等の軟質の断熱ボードを用いるのが一般的であるが、近年、高断熱化等の観点からウレタンフォームやスチレンフォーム等の硬質断熱ボードを採用することが検討されている。
【先行技術文献】
【特許文献】
【０００４】
【特許文献１】特開平８−３１２０７３号公報
【発明の概要】
【発明が解決しようとする課題】
【０００５】
しかしながら、硬質の断熱ボードは、変形による防水下地の不陸吸収作用が軟質の断熱ボードよりも大幅に劣るため、防水下地の不陸に原因して接着剤による接着部位に剥離や浮き等の不具合が生じ易くなることが懸念され、実用上の耐久性を確保するための対策が望まれる。
【０００６】
本発明は、上述の実情に鑑みてなされたものであって、その主たる課題は、防水下地に
接着剤で接着する断熱ボードに硬質のものを採用する場合でも、断熱ボードに剥離や浮き
等の不具合が生じるのを抑制することのできる防水構造の施工方法、及び、それに用いられるボード連結具を提供する点にある。
【課題を解決するための手段】
【０００７】
防水下地の上に断熱ボードが並設され、当該断熱ボードの上に防水シートが敷設されているとともに、前記防水下地と前記断熱ボードの各々とが接着剤で接着されている防水構造であって、
前記断熱ボードの複数枚を一体連結するボード連結手段が備えられていると好適である。
【０００８】
上記構成によれば、防水下地に接着剤で接着された断熱ボードの複数枚がボード連結手段で一体連結されているので、一方側の断熱ボードの剥離側（又は浮き側）の負荷が大きい場合でも他方側の断熱ボードが負荷の一部を負担し、複数枚の断熱ボードが一体となって剥離側の負荷に抵抗することができる。つまり、一体連結された断熱ボードの各々を相互の剥離側への負荷に対する抵抗手段として機能させることができる。
【０００９】
しかも、複数枚の断熱ボードをボード連結手段で一体連結するにあたり、防水下地に穴加工等を施す必要がなく、そのため、建物側への構造的な負担増や施工時の騒音や振動の問題を招くことも適切に回避することができる。
【００１０】
したがって、防水下地に接着剤で接着する断熱ボードとして硬質のものを採用する場合でも、断熱ボードに剥離や浮き等の不具合が生じるのを効果的且つ効率的に抑制することができる。
【００１１】
前記ボード連結手段で一体連結された複数枚の前記断熱ボードと前記防水下地とを固定連結する固定連結手段が付設されていると好適である。
【００１２】
上記構成によれば、ボード連結手段で一体連結された複数枚の前記断熱ボードと防水下地とを固定連結手段で固定連結するので、独立した断熱ボードの各々と防水下地とを各別に固定連結手段で固定連結するのに比べて、固定連結手段による防水下地への固定連結箇所数を抑えながら断熱ボードの剥離抵抗力を高めることができる。
【００１３】
したがって、建物側への構造的な負担増や施工時の騒音・振動の発生を抑制しながら、構造全体としての耐久性を効果的且つ効率的に高めることができる。
【００１４】
本構成の実施において、固定連結手段による防水下地への固定連結箇所は、例えば、特に剥離負荷の大きい箇所や接着剤が所期の接着力を発揮するまで断熱ボードの移動や変形が生じ易い箇所等の特定の一部の箇所に絞るのが特に好ましい。
【００１５】
また、本構成の実施において、固定連結手段による防水下地への固定連結箇所は、ボード連結手段による連結箇所とすることができ、その場合はボード連結手段と固定連結手段の一部又は全部の構成を兼用するのが効率的である。
【００１６】
前記ボード連結手段が、隣接する前記断熱ボードの端縁側の各々を併せて取付自在なボード用取付部を備えたボード連結具から構成されていると好適である。
【００１７】
上記構成によれば、前記ボード連結手段を構成するボード連結具のボード用取付部に対し、隣接する断熱ボードの端縁側の各々を併せて取り付けることで、複数枚の断熱ボードを一体連結することができる。したがって、複数枚の断熱ボードの一体連結を簡単・確実に行うことができ、複数枚の断熱ボードの一体連結による所期の耐久性を容易に得ることができる。
【００１８】
前記ボード連結具には、前記防水下地に定着させる定着部材を取付自在な定着部材用取付部が備えられていると好適である。
【００１９】
上記構成によれば、防水下地に定着させる定着部材をボード連結具の定着部材用取付部に取り付けることで、定着部材を介してボード連結具を防水下地に固定連結することができる。したがって、ボード連結具で一体連結された断熱ボードの防水下地への固定連結を必要に応じて簡単・確実に行うことができ、構造全体としての耐久性を容易に高めることができる。
〔１〕本発明の第１特徴構成は、
防水下地の上に断熱ボードが並設され、当該断熱ボードの上に防水シートが敷設されているとともに、前記防水下地と前記断熱ボードの各々とが接着剤で接着され、
前記断熱ボードの複数枚を一体連結するボード連結手段が備えられ、
前記ボード連結手段が、隣接する前記断熱ボードの端縁側の各々を併せて取付自在なボード用取付部と、前記防水下地に定着させる定着部材を取付自在な定着部材用取付部とを一体的に備えた複数個のボード連結具から構成されている防水構造の施工方法であって、
複数枚の前記断熱ボードを前記ボード連結具の前記ボード用取付部を用いて一体連結するとともに、前記防水下地との間に接着剤を介在させながら前記防水下地の上に前記断熱ボードを並設状態に敷き詰め、
前記接着剤が所期の接着力を発揮する前段階で、複数個の前記ボード連結具のうち、特定の一部の箇所又はその近傍に配置されている前記ボード連結具を、前記定着部材用取付部と前記定着部材とを用いて前記防水下地に固定連結し、
その後、前記防水シートを、前記断熱ボードとの間に接着剤を介在させながら断熱ボードの上に敷設する点にある。
〔２〕本発明の第２特徴構成は、
第１特徴構成に記載の防水構造の施工方法に用いられるボード連結具であって、
前記ボード用取付部としての外周側開口の凹部を対向面間に形成する上下一対の円盤状の板状部と、当該上下一対の板状部の中央部位どうしを繋ぐ状態で備えられて上方側から前記定着部材を挿入配置可能に構成された前記定着部材用取付部としての筒状部と、から構成されている点にある。
〔３〕本発明の第３特徴構成は、
上方側の前記板状部を有する上側部材と、下方側の前記板状部を有する下側部材とに分割され、それら上側部材と下側部材とが上下方向に伸縮自在な接続手段にて接続されることで、前記ボード用取付部としての前記外周側開口の凹部の上下幅が変更自在に構成されている点にある。
〔４〕本発明の第４特徴構成は、上面部が導電性材料で構成され、その上面部に前記防水シートを接着接合するための熱溶性の接着層が付設されることで、前記防水シートと前記断熱ボードとを固定するシート固定具に兼用構成されている点にある。
【図面の簡単な説明】
【００２０】
【図１】防水構造の第１実施形態を示す全体構成図
【図２】防水構造の要部の縦断面図
【図３】防水構造の要部の縦断面図
【図４】（ａ）ボード連結具を示す水平断面図、（ｂ）ボード連結具の別例を示す水平断面図、（ｃ）ボード連結具の別例を縦断面図
【図５】防水構造の第２実施形態を示す全体構成図
【図６】防水構造の要部の縦断面図
【発明を実施するための形態】
【００２１】
〔第１実施形態〕
図１、図２は、本発明に係る防水構造を採用した建物の屋根部分を示している。本実施形態では建物の屋根部分として陸屋根を例に挙げて説明するが、傾斜屋根等であってもよい。また、本防水構造は、建物の屋根部分に限らず、建物のバルコニー部分や構造物の外面部分等の各種の部位の防水措置に適用することができ、また、新たに構築する場合に限らず、既設のものを改修する場合等にも好適に適用することができる。
【００２２】
この防水構造は、防水下地１の一例であるコンクリートスラブの上に断熱ボード２が並設状態で敷き詰められているとともに、当該断熱ボード２の上に防水シート３が敷設されている。
【００２３】
前記断熱ボード２は、断熱性を有する素材を矩形板状に成形して構成され、防水下地１の上に接着剤４で面的に接着接合されている。また、前記防水シート３は、塩化ビニル樹脂等の防水性を有する素材をシート状に成形して構成され、複数枚の断熱ボード２の上面に亘る状態で断熱ボード２の上面に接着剤５で面的に接着接合されている。
【００２４】
なお、防水下地１と断熱ボード２との接着、及び、断熱ボード２と防水シート３との接着は、接触面の全域で接着接合された構造に限らず、接触面の一部で接着接合された構造であってもよい。また、接着剤４、５は、樹脂系やアスファルト系やセメント系等各種材質を用いることができる。
【００２５】
前記断熱ボード２としては、厚みが薄くても所望の断熱性が得られ、且つ、金属板等による被覆補強も特に必要のない硬質のものを用いており、具体的には、発泡倍率が大きく断熱性に優れたポリウレタン系又はポリスチレン系フォームを採用している。
【００２６】
ここで、硬質の断熱ボード２は変形による防水下地１の不陸吸収作用が軟質の断熱ボードよりも大幅に劣るため、このように硬質の断熱ボード２を採用した場合に、防水下地１の不陸に原因して接着剤４による接着部位に剥離等の不具合が生じ易くなることが懸念される。
【００２７】
そこで、本防水構造には、断熱ボード２の複数枚を一体連結するボード連結手段６が備えられている。このように断熱ボード２の複数枚をボード連結手段６で一体連結することで、複数枚の断熱ボード２が一体となって剥離側の負荷に抵抗し、断熱ボード２の剥離等の不具合が生じるのを効率的に抑制する。
【００２８】
本実施形態において、ボード連結手段６は、４枚の断熱ボード２の外周角部（端縁側の一例）が集合する箇所で４枚の断熱ボード２を一体連結するように構成され、剥離が生じ易い断熱ボード２の端縁角部の剥離抵抗を高める形態で、防水下地１から断熱ボード２が剥離するのを一層効率的に抑制する。
【００２９】
ボード連結手段６による断熱ボード２の一体連結は、４枚の断熱ボード２の外周角部が集合する全箇所で実施するのに限らず、防水下地１の不陸の程度等から選択した一部箇所で実施することができる。また、４枚の断熱ボード２の外周側角部が集合する箇所に加えて、或いは、４枚の断熱ボード２の外周側角部が集合する箇所に代えて、２枚の断熱ボード２の外周辺中間部（端縁側の一例）が隣接する全箇所又は一部箇所で実施することができる。
【００３０】
更に、本防水構造には、図３に示すように、一体連結された複数枚の断熱ボード２と防水下地１とを固定連結する固定連結手段７が付設されている。当該固定連結手段７による断熱ボード２の防水下地１への固定連結は、必要に応じて適宜の箇所で行うことができるが、本実施形態では、剥離負荷の大きい箇所や接着剤４が所期の接着力を発揮するまで断熱ボード２の姿勢保持を必要とする箇所等の特定の一部の箇所で行うことで、防水構造全体としての耐久性を効率的に高めている。
【００３１】
前記ボード連結手段６は、断熱ボード２どうしの連結箇所の各々に配置されて断熱ボード２どうしを連結する複数個のボード連結具Ｔから構成されている。また、前記固定連結手段７は、上述したボード連結具Ｔと、これを防水下地１に固定連結可能な定着部材８とから構成されている。つまり、本防水構造では、ボード連結手段６と固定連結手段７とが兼用構成されている。以下、ボード連結具Ｔについて説明を加える。
【００３２】
前記ボード連結具Ｔは、隣接する断熱ボード２の端縁側の各々を併せて取付自在なボード用取付部１１と、防水下地１に定着させる定着部材８を取付自在な定着部材用取付部１２とを一体的に備えて構成されている。
【００３３】
前記ボード連結具Ｔの具体的構成は種々の構成変更が可能であるが、例えば、図２、図３に示すように、ボード用取付部１１の一例である外周側開口の凹部１３を対向面間に形成する上下一対の円盤状の板状部１４Ａ、１４Ｂと、当該板状部１４Ａ、１４Ｂの中央部位どうしを繋ぐ状態で備えられた定着部材用取付部１２の一例である筒状部１５とから構成することができる。
【００３４】
ここで、外周側開口の凹部１３の上下幅Ｈ（上下一対の板状部１４Ａ、１４Ｂの間隔）は、断熱ボード２の厚み寸法と同一又はそれよりも若干小に設定され、隣接する断熱ボード２の端縁側を外周側から内部に挿し込むことで、断熱ボード２の端縁側を嵌合状態で取付自在に構成されている。なお、接着剤や粘着テープ、釘等の適宜の補強手段を補助的に設けることで、必要に応じてボード用取付部１１と断熱ボード２との取付強度を高めることができる。
【００３５】
本実施形態では、ボード連結具Ｔは樹脂素材で一体成型され、しかも、上下一対の板状部１４Ａ、１４Ｂが薄肉に構成されている。そのため、板状部１４Ａ、１４Ｂが防水下地１と断熱ボード２の接着箇所、及び、断熱ボード２と防水シート３の接着箇所で段差を生じさせるのを抑制することができる。
【００３６】
前記ボード用取付部１１の一例である外周側開口の凹部１３には、断熱ボード２の設定位置への取付案内とボード連結具Ｔの補強とを兼ねた取付ガイド壁１６が付加的に備えられている。
【００３７】
当該取付ガイド壁１６は、取付対象の断熱ボード２の毎数等に応じた形状・配置で構成するのが好ましく、図１、図２、図４（ａ）に示すように、ボード連結具Ｔによって４枚の断熱ボード２の外周側角部を一体連結する場合には、取付ガイド壁１６を上面視十字状に構成すれば、当該取付ガイド壁１６で仕切られた凹部１３内の４つの空間の各々に４枚の断熱ボード２の外周側角部の各々を適切に取り付けることができる。
【００３８】
また、例えば、図４（ｂ）に示すように、ボード連結具Ｔによって２枚の断熱ボード２の外周辺中間部を一体連結する場合には、取付ガイド壁１６を上面視Ｉ字状に構成すれば、当該取付ガイド壁１６で仕切られた凹部１３内の２つの空間の各々に２枚の断熱ボード２の外周辺中間部の各々を適切に取り付けることができる。
【００３９】
なお、図４（ｃ）に示すように、ボード用取付部１１の一例である外周側開口の凹部１３は、種々の厚みの断熱ボード２に対応可能なように上下幅Ｈを変更自在な構成としてもよく、この場合、例えば、ボード連結具Ｔを、上方側の板状部１４Ａを有する上側部材１１Ａと下方側の板状部１４Ｂを有する下側部材１１Ｂとに分割し、雄ネジ１１ａと雌ネジ１１ｂ等の上下方向に伸縮自在な各種の接続手段で上側部材１１Ａと下側部材１１Ｂとを接続する構造とすればよい。このような構造のボード連結具Ｔであれば、種々の厚みの断熱ボード２に対応できる他、下側部材１１Ｂを防水下地１に接着剤や粘着テープ等で固定しておき、その上から断熱ボード２を敷設した後、上側部材１１Ａを下側部材１１Ｂに接続する等により、定着部材８を用いずに防水下地１に固定連結することもできる。
【００４０】
前記筒状部１５は、定着部材８の一例であるコンクリートビスの軸部８ａを挿通させて防水下地１に定着させる状態でコンクリートビスの頭部８ｂを取り付けることで、定着部材８を介してボード連結具Ｔを防水下地１に固定連結可能に構成されている。
【００４１】
本実施形態では、図２、図３に示すように、筒状部１５の内部に、上方側の大径孔部１５ａと、下方側の小径孔部１５ｂと、大径孔部１５ａと小径孔部１５ｂの間の環状の掛止段部１５ｃとが形成され、上方側から挿入配置した定着部材８としてのコンクリートビスの頭部８ｂを掛止段部１５ｃに掛止させる状態で、小径孔部１５ｂを通してコンクリートビスの軸部８ａを防水下地１にネジ込み固定可能に構成されている。
【００４２】
なお、定着部材８を使用する場合と使用しない場合のいずれにしても、本防水構造を構築するにあたり、当該筒状部１５の内部に残る空隙を断熱材で埋めるようにしてもよく、また、断熱ボード２の端縁側に筒状部１５との干渉を回避するための面取り等を形成するようにしてもよい。
【００４３】
上述の如く構成された防水構造は、例えば、以下のような施工方法で構築することができる。
まず、複数枚の断熱ボード２をボード連結具Ｔで一体連結するとともに、防水下地１との間に接着剤４を介在させながら防水下地１の上に断熱ボード２を並設状態に敷き詰める。
そして、接着剤４が所期の接着力を発揮する前段階で、施工後に想定される剥離負荷の大きい箇所や、施工中に断熱ボード２の姿勢が変化し易い特定の一部の箇所を吟味し、当該箇所又はその近傍に配置されたボード連結具Ｔを定着部材８で防水下地１に固定連結する。
その後、断熱ボード２との間に接着剤５を介在させながら、断熱ボード２の上に防水シート３を敷設する。
【００４４】
このような施工方法であれば、複数枚の断熱ボード２の一体連結と防水下地１への固定連結とをボード連結具Ｔと定着部材８とを用いて簡単・確実に行うことができ、しかも、音や振動が発生する虞のある工程が、特定の一部の箇所に対してボード連結具Ｔを定着部材８で防水下地１に固定連結する工程だけであるので、施工時に騒音や振動の問題を招くことも適切に回避することができる。
【００４５】
〔第２実施形態〕
図５、図６は、本発明に係る防水構造の第２実施形態を示し、この第２実施形態では、前記ボード連結手段６を構成するボード連結具Ｔが、金属製のレール状の長尺な型材から構成され、隣接する断熱ボード２の端縁側の広い範囲どうしを一体連結するように構成されている。
【００４６】
前記ボード連結具Ｔは、前記ボード用取付部１１の一例である外側開口の凹部１３を対向面間に形成する状態で長手方向に延びる上板部１７Ａ及び下板部１７Ｂと、当該両板部１７Ａ、１７Ｂとに亘る状態で長手方向に延びる連結板部１８とから構成されている。
【００４７】
図６に示すように、下板部１７Ｂの短手方向一方側（図中右側）には、前記定着部材用取付部１２として、上板部１７Ａの短手方向一方端の直下位置から短手方向外方側に延出する延出板部１７ｂが形成されている。
【００４８】
つまり、本実施形態では、図６中の仮想線で示すように、防水下地１との固定連結が必要な適宜の箇所において、当該延出板部１７ｂを貫通させる状態で定着部材８を防水下地１に定着させることで、定着部材８を介してボード連結具Ｔを防水下地１に固定連結可能に構成されている。
【００４９】
この第２実施形態の防水構造では、防水下地１の上に複数枚の断熱ボード２を敷き詰める際、例えば、ボード連結具Ｔにおける延出板部１７ｂが形成されていない側の凹部１３Ａと断熱ボード２とを取り付けながら、これらのボード連結具Ｔと断熱ボード２を防水下地１の上に設置した後、断熱ボード２と防水下地１の状態を確認した上で必要に応じて当該ボード連結具Ｔにおける延出板部１７ｂに定着部材８を取り付けてボード連結具Ｔを防水下地１に定着させ、その後、当該ボード連結具Ｔにおける延出板部１７ｂが形成された側の凹部１３Ｂに断熱ボード２を取り付ける手順で、ボード連結具Ｔの短手方向の他方側から一方側に向かって順次に断熱ボード２を設置することができる。
【００５０】
そのため、複数枚の断熱ボード２の一体連結と、断熱ボード２の防水下地１への固定連結とを順次に適切に行いながら、防水下地１の上に複数枚の断熱ボード２を敷き詰めることができる。
【００５１】
なお、その他の構成は、第１実施形態で説明した構成と同一であるから、同一の構成箇所には、第１実施形態と同一の番号を付記してそれの説明は省略する。
【００５２】
〔別実施形態〕
（１）前述の各実施形態では、ボード連結手段６がボード連結具Ｔから構成されている場合を例に示したが、断熱ボード２の端面どうしを連結自在な接着剤や粘着テープや紐等の各種のものから構成されていてもよい。
【００５３】
（２）前述の各実施形態の改良として、前記ボード連結具Ｔが防水シート３と断熱ボード２とを固定するシート固定具に兼用構成されていてもよい。この場合、例えば、ボード連結具Ｔの上面部を導電性材料で構成し、その上に熱溶性の接着層を付設して構成することができる。このようにすれば、ボード連結具Ｔの上に防水シート３を載置した状態で防水シート３の上から電磁誘導加熱等で接着層を溶かすことで、ボード連結具Ｔと防水シート３とを接着接合する形態で防水シート３を固定することができる。
【００５４】
（３）前述の各実施形態では、固定連結手段７による断熱ボード２と防水下地１との固定連結箇所として、ボード連結手段６による複数枚の断熱ボード２の連結箇所から選択した特定の一部の箇所を例に示したが、当該連結箇所の全箇所や連結箇所とは異なる箇所であってもよい。また、場合によっては、固定連結手段７による断熱ボード２と防水下地１との固定連結を全く行わなくともよい。
【００５５】
（４）前述の各実施形態では、断熱ボード２の上に直接に防水シート３が敷設されている場合を例に示したが、断熱ボード２の上に金属板等の歩行用等の補強材を設置した上で、その補強材の上に防水シート３が敷設されていてもよい。
【００５６】
（５）前述の各実施形態では、防水構造の施工方法において、ボード連結具Ｔを定着部材８で防水下地１に固定連結する工程を、接着剤４が所期の接着力を発揮する前に実施する場合を例に示したが、接着剤４が所期の接着力を発揮した後で実施してもよい。
【００５７】
（６）前述の各実施形態では、防水下地１の上に並設する断熱ボード２として、硬質のものを例に示したが、発泡ポリエチレンフォームや発泡ポリプロピレンフォーム等の軟質のものを用いることができる。
【００５８】
（７）防水下地１は、前述の各実施形態で示したコンクリートスラブに限らず、折板やデッキプレート、野地板、ＡＬＣ板等の構造物の防水対象部位に設置される各種のものであってもよい。
【符号の説明】
【００５９】
１        防水下地
２        断熱ボード
３        防水シート
４        接着剤
５        接着剤
６        ボード連結手段
７        固定連結手段
８        定着部材
１１      ボード用取付部
１２      定着部材用取付部
Ｔ        ボード連結具
【図１】
0006514947.tif 000002
【図２】
0006514947.tif 000003
【図３】
0006514947.tif 000004
【図４】
0006514947.tif 000005
【図５】
0006514947.tif 000006
【図６】
0006514947.tif 000007